(57)【特許請求の範囲】
【請求項１】
雨戸枠を一体的に有するサッシ枠を柱を間においたその左右両側に取り付け、
前記柱を挟んだ左右のサッシ枠の上枠間の間隔を塞ぐ上枠カバーを前記左右両上枠の端部間に架設し、
前記上枠カバーに、その裏面から垂下し、柱を隠す目板の上端部を取り付け可能な目板取付け壁を設け、この目板取付け壁に、柱を挟んだそれぞれサッシ枠の縦枠に設けた位置決め基準部に係合する位置決め部を有するとともに前記目板取付け壁に水平方向に少なくとも片方が摺動可能なように保持された一組の位置決め部材を設けたことを特徴とする連窓サッシ。
【発明の詳細な説明】
【０００１】
【発明の属する技術分野】
本発明は、柱を間に両側に設けられたサッシ枠に雨戸の走行を可能とするように、左右サッシ枠が連結される連窓サッシに係り、特に、柱のサイズに応じて変る連結寸法を調整できるように上枠カバーを改良した連窓サッシに関する。
【０００２】
【従来の技術】
一般住宅における連窓サッシでは、雨戸の戸袋は、一方の端側に設けられるのが普通であるため、各々のサッシ枠を雨戸が円滑に走行できるように、サッシ枠とサッシ枠の間の柱の部分が連結された構造になっている。
【０００３】
図６は、従来の連窓サッシの連結部分の構造を示す図である。
【０００４】
１ａ、１ｂは、図示されない柱を間に、その左右両側に取り付けられる左右サッシ枠の上枠で、この上枠１ａ、１ｂと、下枠２ａ、２ｂの柱側の端部を柱の角に沿って取り付けられる縦枠３ａ、３ｂが連結するようになっている。この場合、雨戸は、下枠２ａ、２ｂの室外側の最下段に形成された雨戸レール部４ａ、４ｂを走行するようになっており、上枠１ａ、１ｂには、雨戸レール部４ａ、４ｂに対応して雨戸ガイド部５ａ、５ｂが形成されている。
【０００５】
このような左右サッシ枠を柱の両側に取り付けると、各々上枠１ａ、１ｂと下枠２ａ、２ｂの間に間隔があき、雨戸の円滑な走行を妨げるので、この間隔を埋める連結部材として、下枠側では下一筋６、上枠側では上一筋７というような連結部材を用いて連結している。このうち、下一筋６は、下枠２ａ、２ｂの雨戸レール部４ａ、４ｂを連結する部材で、雨戸の戸車が転動するレールを有するもので、この下一筋６を介在させることで雨戸レール部４ａ、４ｂのレールが断絶しないようにすることができる。この下一筋６を取り付ける場合、下一筋６の左右両側からジョイント金具８、８を挿し込み、このジョイント金具８、８をそれぞれねじを用いて下枠２ａ、２ｂに対して固定することで、下一筋６を取り付けることができる。
【０００６】
一方、上一筋７は、上枠１ａ、１ｂの雨戸ガイド部５ａ、５ｂを連結する部材であり、ねじを用いて左右上枠２ａ、２ｂの雨戸ガイド部５ａ、５ｂの端部を橋架するようにねじによって固定される。
【０００７】
【発明が解決しようとする課題】
このように、連窓サッシでは、柱を間にはさんであいた間隔を埋めるため、それぞれ上枠、下枠の構造に対応した連結部材を用いている。
しかしながら、この連結部材の取り付けでは、地方により柱の寸法が変るため、従来は、下一筋、上一筋については、例えば、４寸柱用、５寸柱用というように、柱の寸法に対応したものを用意するか、あるいはまた、５寸柱用のものの両端を施工現場で切り詰めて４寸柱に用いるなど、汎用的に使用できない難点があった。
【０００８】
また、上枠の連結では、現場で上一筋を切り詰めて取り付ける場合、上一筋のねじ穴の位置を上枠のねじ穴に合った位置に加工するなど付随的な作業も多く煩雑であり、また、図７に示すように、上一筋を取り付けた上で、別部品の上枠カバー９を取り付けて隙間を塞ぎ、さらに、目板１０の端部を上一筋７、下一筋５６に対してねじ止めしなければならないので、切り詰め寸法に狂いのなどがあると、取り付けに手間取るという問題があった。
【０００９】
そこで、本発明の目的は、前記従来技術の有する問題点を解消し、カバーを用いて柱を挟んだ上枠を連結するようにするとともに、このカバーの連結寸法を柱の寸法に合せてその場で簡単に調整できるようにした連窓サッシを提供することにある。
【００１０】
【課題を解決するための手段】
前記の目的を達成するために、本発明は、雨戸枠を一体的に有するサッシ枠を柱を間においたその左右両側に取り付け、前記柱を挟んだ左右のサッシ枠の上枠間の間隔を塞ぐ上枠カバーを前記左右両上枠の端部間に架設し、前記上枠カバーに、その裏面から垂下し、柱を隠す目板の上端部を取り付け可能な目板取付け壁を設け、この目板取付け壁に、柱を挟んだそれぞれサッシ枠の縦枠に設けた位置決め基準部に係合する位置決め部を有するとともに、前記目板取付け壁に水平方向に少なくとも片方が摺動可能なように保持された一組の位置決め部材を設けたことを特徴とするものである。
【００１１】
【発明の実施の形態】
以下、本発明による連窓サッシの一実施形態について添付の図面を参照して説明する。
図１は、柱を間に挟んでその左右両側に取り付けられる左サッシ枠２０、右サッシ枠２２を示す。雨戸を収納する戸袋（図示せず）は、この実施形態では、右サッシ枠２２のさらに右側に連設されるようになっている。
【００１２】
左サッシ枠２０、右サッシ枠２２は、それぞれ下枠２３、上枠２４、縦枠２５および図示されないもう一つの縦枠を四方組みにして組み立てられ、柱を間に挟むようにして隣設させて取り付けられるものである。
【００１３】
このうち下枠２３は、室内側から室外側に向かって一段づつ低くなるように段差が設けられており、室内側から順に各段には、内障子の走行するレール２６、外障子走行用のレール２７、網戸走行用のレール２８が垂直に立上がっている。また、この下枠２３の最も室外側にあたる部分は、下枠２３との一体構造の雨戸の下枠３３となっている。
【００１４】
一方、上枠２４は、前記下枠２３のレール２６、２７、２８に対応するレール２９、３０、３１が垂直に垂下するように一体形成されているととともに、最室外側は、上枠２４と一体構造の雨戸上枠３２として構成されている。
【００１５】
このような左サッシ枠２０、右サッシ枠２２において、３４は柱を間に挟むようにして、左右上枠２４、２４の間に形成された隙間を塞ぐとともに、この左右上枠２４、２４を連結する上枠カバーである。３６は、表から柱が見えないように隠す目板である。なお、柱を間においた左右下枠２３、２３の端部は、図６に示した従来の連窓用の下一筋３７およびジョイント金具（図示せず）によって接続されており、これにより、隙間が埋められるとともに、雨戸の下枠３３が下一筋３７を介して連結されて雨戸を円滑に走行できるようになっている。
【００１６】
次に、上枠カバー３４の構造について説明する。
まず、上枠カバー３４は、上枠２４の断面形状と略同一の断面形状を有するものであって、内障子と外障子の収納される部分に対応した本体部４０と、内側に雨戸の上桟が入って雨戸の走行を案内する雨戸案内部４１とが一体構造になった形材である。ここで、図２は上枠カバー３４の断面図、図３は、上枠カバー３４を裏側から表わした斜視図である。
この上枠カバー３４の裏側には、目板取付け壁としての垂直壁４４が直角に垂設されており、この垂直壁４４には、上枠２４の長さ方向に平行に左右両側から各々位置決め部材４５、４５が摺動自在に係合するようになっている。この位置決め部材４５は、例えば、合成樹脂を材質として後述する縦枠２５の位置決め基準部に嵌合する細長な凸状部４６を位置決め部として一体形成された矩形板状の部材で、位置決め部材４５、４５は、各々前記垂直壁４５の左右両端から凸状部４６、４６が室内側に向いて突出するように取り付けられるようになっている。
【００１７】
この実施形態では、垂直壁４４は、上下にそれぞれ平行に形成された案内凸条４７、４７を含み、他方、位置決め部材４５は、この案内凸条４７に摺動可能に係合する係止部４８、４８が形成されており、これによって、位置決め部材４５は垂直壁４４をスライドしながら左右両側の凸状部４６、４６の間の距離を調整することができるようになっている。
【００１８】
また、位置決め部材４５、４５をスライドさせるときに垂直壁４４から抜け落ちないように、スライド方向に長い長溝４９、４９が形成されており、この長溝４９、４９には、それぞれ位置決め部材４５、４５の裏面から突き出たストッパ５０、５０が遊嵌するようになっている。従って、この長溝４９、４９の長さによって位置決め部材４５、４５を動かせる長さが決まるようになっている。
【００１９】
なお、図２において、５２は、垂直壁４５から垂下するように取り付けられた目板取付部で、この目板取付部５２は、鉛直面に平行な取付面を有し、目板３６を固定するためのねじ穴５３が形成されている。また、５４は上枠２４と重なり合う部分をシールするシール材を示す。
【００２０】
これに対して、図１および図４に示すように、上枠カバー３４の上面の室外側には、この上枠カバー３４を左右の上枠２４、２４の端部に連結するための連結金具として連結板５６、５６が２枚取り付けられている。
【００２１】
この連結板５６は、その長手方向両側縁部が係合する断面Ｌ方の鈎状案内部５７、５７によって保持されており、上枠カバー３４の上面を摺動できるように構成されている。
【００２２】
この実施形態の場合、上枠カバー３４には、連結板５６のスライド方向に長い長溝５８（図３参照）が形成されており、連結板５６の先端側に形成されたねじ穴５９ａ、５９ａから挿入したねじの先は、長溝５８を挿通するようになっている。また、後述するように、ねじ穴５９ａ、５９ａは、複数の異なるサイズの柱の寸法に対応できるように所定の位置に設定されている。なお、この実施形態では、連結板５６を左端側でも兼用できるように、ねじ穴５９ｂ，５９ｂが同じように形成されている。
【００２３】
以上のように構成される連窓サッシにおいて、左右サッシ枠の上枠２４、２４を上枠カバー３４を用いて連結する手順について説明する。
【００２４】
図５は、上枠カバー３４の位置決めるにあたっての位置決め部材４５、４５の操作を示す図である。縦枠２５には、戸当り縦枠を嵌め込むための縦溝６０が形成されている。連窓サッシでは、戸先側の縦枠にのみ、戸当り縦枠を取り付ければよいので、この実施形態では、縦溝６０を位置決めの基準として用いることができるようになっている。
【００２５】
この場合、左右両縦枠２５、２５の間隔は、柱１００の寸法によって変るため、上枠カバー３４の両端部がそれぞれ上枠２４、２４の端部に重なりあうようにして仮決めしておいてから、両方の位置決め部材４５、４５を柱１００の左右にある縦枠２５、２５の縦溝６０、６０に対向する位置まで動かす。そして、柱１００に対してその正面中央に垂直壁４４並びに目板取付部５２の位置を合せたところで、凸状部４６、４６を押し込めば、この凸状部４６、４６を縦溝６１、６１に嵌合させることができる。
【００２６】
こうして上枠カバー３４の位置を予め決めておいてから、図４に示すように、連結板５６、５６を動かしながら上枠カバー３４と重なっている上枠２４側のねじ穴に連結板５６、５６のねじ穴５９ａ、５９ｂを合せることができる。そして、ねじを挿入して締めつければ、上枠カバー３４を簡単に固定することができる。その後、図７の従来の方式とおなじようにして目板を取り付ければよい。
【００２７】
このように、柱の寸法に合せて位置決め部材４６、４６の位置を調節しながら上枠カバー３４を予め位置決めをしてから、連結板５６、５６を動かしながら調節して固定するので、この上枠カバーにより柱の寸法に応じた取り付け幅にその場で簡単に対処できるので、汎用性が向上する。その取り付け作業自体も簡単かつ能率良く行なうことができる。
【００２８】
【発明の効果】
以上の説明から明らかなように、本発明によれば、上枠カバーに、その裏面から垂下し、柱を隠す目板の上端部を取り付け可能な目板取付け壁を設け、この目板取付け壁に、柱を挟んだそれぞれサッシ枠の縦枠に設けた位置決め基準部に係合する位置決め部を有するとともに、前記目板取付け壁に水平方向に少なくとも片方が摺動可能なように保持された一組の位置決め部材を設けているので、上枠に柱を挟むようにしてできた間隙を塞ぐ上枠カバーを用いて施工時に柱の寸法に応じた調整をその場で簡単に行なうことができ、上枠カバーを目板とともに組み合わせて汎用的に使用できる。また、上枠カバーおよび目板の取り付け作業も従来のものに較べて簡単に行なうことができる
【図面の簡単な説明】
【図１】本発明による連窓サッシの一実施形態の全体構造を示す斜視図。
【図２】上枠カバーの横断面図。
【図３】上枠カバーの構成を裏側から表わした斜視図。
【図４】上枠カバーに設けた連結板を示す斜視図。
【図５】上枠カバーの備える位置決め部材の操作を示す説明図。
【図６】従来の連窓サッシの連結構造を示す分解斜視図。
【図７】従来の連窓サッシの連結部の組み立て方を示す斜視図。
【符号の説明】
２０  左サッシ枠
２２  右サッシ枠
２３  下枠
２４  上枠
３２  雨戸上枠
３３  雨戸下枠
３４  上枠カバー
３６  目板
４０  本体部
４４  垂直壁
４５  位置決め部材
４６  凸状（位置決め部）
５２  目板取付部
５６  連結板（連結金具）
６０  縦溝（位置決め基準部）
１００  柱
【図１】
0003634017.tif 000002
【図２】
0003634017.tif 000003
【図３】
0003634017.tif 000004
【図４】
0003634017.tif 000005
【図５】
0003634017.tif 000006
【図６】
0003634017.tif 000007
【図７】
0003634017.tif 000008